(57)【要約】本発明の方法は、旅行者に、一時滞在ターミナルに置かれるアクセスポイント装置によって情報ネットワークを通じリポジトリへのアクセスを与える。旅行者は、オフラインで見るために、リポジトリに受入れられた情報コンテンツをダウンロードすることが可能である。ダウンロードされる情報コンテンツは携帯可能な記憶媒体に格納される。記憶媒体は旅行者に与えられ、旅行者によって、例えば、旅行中に、後からデータにアクセスするために使用されてもよい。情報コンテンツは、交通手段の構成要素である記憶媒体にダウンロードされてもよい。旅行者は、あてがわれた移動時の場所に設けられる装置を使用し、情報ネットワークにアクセスする。【特許請求の範囲】
【請求項１】
個人に情報コンテンツへのアクセスを与える方法であって、　一時滞在ターミナルにおいて、情報ネットワークを通じて、上記情報コンテンツを受入れるリポジトリへのアクセスを供給する段階と、
上記一時滞在ターミナルにおいて、上記情報ネットワークを通じて、上記情報コンテンツを上記リポジトリから携帯可能な記憶媒体に転送することを可能にする段階と、
上記携帯可能な記憶媒体を上記個人に与える段階とを含む方法。
【請求項２】
上記リポジトリから上記携帯可能な記憶媒体に、上記情報コンテンツをダウンロードする段階を更に含む請求項１記載の方法。
【請求項３】
上記個人に上記情報コンテンツの転送を可能にさせる装置を、上記一時滞在ターミナルに供給する段階を更に含む請求項１記載の方法。
【請求項４】
上記情報ネットワークはインターネットを含む請求項１記載の方法。
【請求項５】
上記情報コンテンツの転送は、無線通信チャネルを通じて可能にされる請求項１記載の方法。
【請求項６】
上記記憶媒体は、交通手段に乗り込む際に、上記個人に与えられる請求項１記載の方法。
【請求項７】
上記個人を識別する段階と、
識別した後に、上記個人が複数の情報コンテンツから上記情報コンテンツを選択することを可能にする段階と、
上記携帯可能な記憶媒体に上記選択された情報コンテンツをダウンロードする段階とを含む請求項１記載の方法。
【請求項８】
上記個人が識別情報を入力することを可能にする段階と、
上記識別情報に基づいて上記情報コンテンツを選択する段階と、
上記情報コンテンツをダウンロードする段階とを含む請求項１記載の方法。
【請求項９】
上記情報コンテンツは、上記個人のプロファイルに基づいて選択される請求項１記載の方法。
【請求項１０】
上記情報コンテンツを転送することに対し手数料を課金する段階を含む請求項１記載の方法。
【請求項１１】
情報ネットワークへのアクセスを与えるアクセスポイント装置であって、
上記情報ネットワークを通じて、情報コンテンツを受入れるリポジトリにアクセスする接続ユニットと、
取外し可能な記憶媒体を受容する受容部と、
上記接続ユニット及び上記受容部に接続され、上記リポジトリから上記取外し可能な記憶媒体に上記情報コンテンツを転送することを可能にする転送ユニットとを含む装置。
【請求項１２】
個人のプロファイルに基づいて選択される電子情報コンテンツが予め格納され、交通手段に搭載される装置と供に使用され、上記個人が上記情報コンテンツにアクセスすることを可能にする記憶媒体。
【発明の詳細な説明】
【０００１】
［発明の属する技術分野］
本発明は、個人に情報コンテンツへのオフラインでのアクセスを与える方法に関する。
【０００２】
本発明は更に、情報ネットワークへのアクセスを与えるアクセスポイント装置に関する。
【０００３】
本発明は更に、予め格納された情報コンテンツを有する記憶媒体に関する。
【０００４】
本発明は、旅行者に移動を開始する前に、最新の放送ニュースを供給するよう使用され得る。
【０００５】
［背景技術］
機内の娯楽は、成長しつつある市場区分であり、ここには、旅行者に、ますます増加する製品及びサービスを提供するための異なる技術が組込まれる。非営利組織である世界航空娯楽協会（ＷＡＥＡ）は、１００以上の航空会社及び３００以上の航空供給業者を代表するべく設立された。ＷＡＥＡは、旅行者に提供されるサービス及び旅行者の環境の絶え間ない改善を目的とする。幾つかの航空会社は、旅行者に、シートに取付けられ様々なインタラクティブな特徴を提供する個人モニタを与えている。これらの特徴には、最新ニュース、パーソナルビデオカセットプレーヤ、電話機、電子メールサービス、コンピュータリンクアップ等が含まれる。
【０００６】
［発明の概要］
多くの場合において、公共の交通手段は、公共の情報ネットワークへの生の接続を提供しない。このような技術的な制限によって、旅行者は情報コンテンツの最新版にアクセスすることがあまりできない。接続ができないということは、全ての旅行者に対し提供されるカスタマイズされる特徴は数が少ないということを意味する。
【０００７】
本発明は、移動する個人に、通常はオンラインで入手可能である情報コンテンツへのオフラインでのアクセスを与えることを目的とする。
【０００８】
このために、本発明の方法は、一時滞在ターミナルにおいて、情報ネットワークを通じて情報コンテンツを受入れるリポジトリへのアクセスを供給する段階と、
一時滞在ターミナルにおいて、情報ネットワークを通じて、情報コンテンツをリポジトリから携帯可能な記憶媒体に転送することを可能にする段階と、
個人に記憶媒体を与える段階とを含む。
【０００９】
従って、交通手段に乗り込む前に、個人は、例えば、移動中にオフラインで見るためのネットワークからの情報コンテンツの最新版をダウンロードすることが可能にされる。本発明は、個人に、所与の電子情報コンテンツの最新版を有利に与える。このような方法は、電子通信媒体への趨勢に従って、従来の新聞紙に取って代わるものとなる。
【００１０】
上述したような方法は、ユーザによってカスタマイズされてもよい。情報コンテンツは、予約時にユーザによって与えられる嗜好によって予め構築されるユーザプロファイルから決定されてもよい。
【００１１】
本発明では、記憶媒体は、交通手段に搭載される構成要素であってもよい。この場合、個人は、個人が情報コンテンツにアクセスすることを可能にする装置が具備される、例えば、座席又はキャビンといった移動時の場所があてがわれる。個人は、記憶媒体を含む交通手段のローカルネットワークを介し情報コンテンツにアクセスしてもよい。
【００１２】
更に、本発明のアクセスポイント装置は、
情報ネットワークを通じて情報コンテンツを受入れるリポジトリにアクセスする接続ユニットと、
取外し可能な記憶媒体を受容する受容ユニットと、
接続ユニット及び受容ユニットに接続され、リポジトリから取外し可能な記憶媒体に情報コンテンツを転送することを可能にする転送ユニットとを含む。
【００１３】
アクセスポイント装置又は「キオスク」は、ターミナルに置かれても良い。このような装置は、記憶媒体に情報コンテンツをダウンロードすることを可能にし、その記憶媒体は、コンテンツを後からオフラインでブラウズできるよう旅行者に与えられる。
【００１４】
［好適な実施例］
本発明を、添付図面を参照しながら例によって更に詳細に説明する。
【００１５】
本発明は、一時滞在ターミナルにおいて、旅行者に供給されるサービスに関する。個人は、例えば、車、バス、飛行機、船、列車等の様々な交通手段を使用し、出発点から到着点までを移動する。本願で使用する「一時滞在ターミナル」とは、例えば、空港、駅、又は、バス停留所といった旅行を出発する地点又は旅行から到着する地点を示す。
【００１６】
ターミナルにおいて、例えば、インターネット、又は、任意の他の公共若しくはプライベートの情報ネットワークといった情報ネットワークへのアクセスが与えられる。個人は、このアクセスを利用して、ホストリポジトリ又はホストサーバから携帯可能な記憶媒体に電子情報コンテンツをダウンロードすることが可能にされ得る。例えば、個人は、インターネットへの生のアクセスが利用可能でない機上で後ほど使用するために、インターネットから情報コンテンツをダウンロードする。
【００１７】
サービスは、旅行者が、ターミナルにおいて提供される情報コンテンツのうちから、旅行者が興味を持つ又は旅行者に関連のある情報コンテンツを選択することが可能であるという点でかなりカスタマイズされることが可能であることが好適である。選択された情報コンテンツは携帯可能な記憶媒体にダウンロードされ、個人はターミナルから離れて記憶媒体にアクセスすることができる。或いは、又は追加として、個人は、旅行の手配の一部として、例えば、サービスプロバイダ、又は、旅行代理店に自分のプロファイルを事前に明示する。このプロファイルに一致する情報コンテンツが、携帯可能な記憶媒体にダウンロードされる。例えば、個人は、その個人が飛行機で移動する際の特定の新聞紙又は雑誌の最新版の電子版、又は、ＴＶ放送の最新版へのアクセスを望むということを明示する。
【００１８】
携帯可能な記憶媒体は、例えば、個人のパーソナルラップトップコンピュータ又は、交通手段に設けられるデータ処理装置と供に使用されるメモリカード、又は、光ディスク若しくは磁気ディスクを含む。
【００１９】
第１の実施例では、情報コンテンツは、ターミナルにおいて記憶媒体に格納され、その後、個人にその記憶媒体が与えられ、それを保持することとなる。
【００２０】
第２の実施例では、携帯可能な記憶媒体は、利用する交通手段に搭載される構成要素を含む。例えば、記憶媒体は、列車、船、又は、飛行機のローカルデータネットワークの構成要素である。個人は、一旦、交通手段に乗り込むと、個人のＰＣを使用し、選択された情報コンテンツにアクセスできるようローカルネットワークにログインすることが可能となる。
【００２１】
第３の実施例では、交通手段に搭載されるローカルネットワークは、個人が選択された情報コンテンツにアクセスするための装置を含む。このことは、個人が個人のラップトップＰＣを持ち運ばなくても良いという利点を有する。例えば、機上の座席には、表示画面と、例えば、カーソル制御装置又はキーボードといった他のユーザインタフェース能力を有するデータ処理装置が設けられ、個人は、カーソル制御装置又はキーボードによって、情報コンテンツをブラウズするか又はブラウズしない場合は情報コンテンツとやり取りすることが可能である。交通手段のローカルネットワークへのアクセスでは、個人は、電子メール又は他の電子文書を作成可能にされることが好適である。これらのメッセージ又は文書は、交通手段が目的地の一時滞在ターミナルに到着するまでローカルネットワーク上でローカルに保存される。一時滞在ターミナルにおいて、ローカルネットワークは、地上の情報ネットワークに接続され、メッセージ又は文書は地上の情報ネットワークに転送され、個人が送った受取人に電子的に送信される。
【００２２】
上記の構想及び他の構想を、図１乃至３を参照し、更に詳細に説明する。
【００２３】
図１は、本発明の方法の可能な段階を示すフローチャートである。第１の段階１０２は、個人に、一時滞在ターミナルにおけるアクセスポイント装置４０からリポジトリ１０にアクセスすることを可能にすることを含む。リポジトリ１０へのアクセスは、情報ネットワーク３０を通じて与えられる。リポジトリ１０は、情報コンテンツＣを受入れるよう構成される。リポジトリ１０は、サーバ又はデータベースであってよく、そこからインターネットを通じてサーバによって要求することにより、情報コンテンツＣを取り出すことが可能である。
【００２４】
第２の段階１０４は、情報コンテンツＣをリポジトリ１０から携帯可能な記憶媒体２０に転送することを含む。情報コンテンツＣは、情報ネットワーク３０を通じて媒体２０にダウンロードされる。
【００２５】
第３の段階１０６では、個人は、記憶媒体２０から情報コンテンツＣにアクセスすることが可能にされる。段階１０６では、個人に記憶媒体が与えられる。個人はこの携帯可能な記憶媒体２０を使用し、オフラインで情報コンテンツＣを入手する。
【００２６】
旅行者に、情報コンテンツＣへのアクセスを可能にすることは、例えば、ＭＥＰＧ−２符号化されたビデオ情報コンテンツ、ＭＥＰＧ−１レイヤ３オーディオコンテンツといった広く普及しているデータ形式を使用して情報コンテンツＣを供給することを含む。従って、情報コンテンツＣは容易にユーザによって読取り可能となり得る。段階１０６は、旅行者に、媒体２０から情報コンテンツＣを読出しする互換装置を供給することを含む場合がある。例えば、旅行会社は、交通手段に、交通手段の座席に取付けられる個人モニタ又はプロセッサを設ける場合がある。
【００２７】
図２は、アクセスポイント装置４０の実施例である。装置４０は、装置４０を使用する個人に、リポジトリ１０と記憶媒体２０の間でデータを交換する可能性を提供する。
【００２８】
この実施例では、装置４０は、旅行者と装置４０の間でインタラクティブな通信を可能にするユーザインタフェース４２を含む。ユーザインタフェース４２は、例えば、表示モニタ、及び、キーボード又はカーソル制御装置といったユーザ入力装置を含む。
【００２９】
装置４０は更に、情報ネットワーク３０を通じてリポジトリ１０にアクセスするモデム又はダイアルユニットといった接続ユニット４４を含む。このようなユニット４４には、ワールド・ワイド・ウェブのコンテンツへのアクセスを可能にするＴＣＰ／ＩＰプロトコルを支援するインターネットブラウザが組込まれても良い。ホストリポジトリ１０へのアクセスは、例えば、地上ケーブル、アンテナを介する空中を通じて、及び／又は衛星を使用して行われる。リポジトリ１０は、遠隔に配置されることが好適であり、リポジトリ１０及び装置は、互いに独立して所有され管理されてもよい。装置４０は、個人が装置４０に対しリポジトリ１０にアクセスするよう要求するとリポジトリ１０にアクセスすることが可能である。この場合、個人は、リポジトリ１０によって受入れられる情報コンテンツＣの最新版を入手することが可能となる。或いは、装置４０は、個人の要求に関係なく、リポジトリ１０に定期的にアクセスするよう設定されてもよい。様々な情報コンテンツが取り出しされ、装置４０に関連付けられるプロキシサーバ又はキャッシュサーバ上でローカルに保存される。従って、個人が所与の情報コンテンツＣを要求すると、情報コンテンツＣは既にあるので、個人により高速なダウンロード時間が可能となる。
【００３０】
装置４０は、媒体２０を受入れるための受容ユニット４８を含む。受容ユニット４８は、ＣＤドライブ、ＣＤ焼付け装置、ＣＤ−ＲＷ、ＤＶＤ−ＲＷ、若しくは、ＤＶＤ＋ＲＷプレーヤ、又は、これらの要素の組み合わせといった光学記憶媒体を受入れる任意の装置であり得る。装置４０は更に、情報コンテンツＣを転送し、記憶媒体２０に格納する転送ユニット４６を含む。記憶媒体２０は、例えば、ＣＤ、光ディスク、ハードディスクドライブ（ＨＤＤ）、又は、例えば、フロッピディスク、ＭＥＰＧ−レイヤ３メモリ、移動式電話機用のメモリユニット、フラッシュメモリ装置（メモリスティック、ＳＤカード）といった他の任意の固体の記憶媒体である。
【００３１】
転送ユニット４６は、媒体２０を受入れる受容ユニット４８と装置４０との間の無線接続を供給し、例えば、情報コンテンツをＷＡＰ（ワイヤレス・アプリケーション・プロトコル）プロトコルに従って転送することを可能にする。ＷＡＰは、無線ネットワークを使用するアプリケーション及びサービスを展開する為の開かれた、グローバルなプロトコルである。ＷＡＰプロトコルは、現行のインターネットプロトコルに主に基づいているが、ＰＤＡ又はセルラ式電話機といった無線装置を有する移動するユーザに対し最適化されている。
【００３２】
装置４０は、一時滞在ターミナルに置かれる。装置４０は、一時滞在ターミナルにおける旅行会社の待ち合わせラウンジ内に置かれるアクセスポイント装置又はキオスクであってよい。
【００３３】
図３は、本発明の方法を説明するフローチャートである。第１の段階３００では、個人は、装置４０にアクセスしようとする。第２の段階３０２は、ユーザインタフェース４２を介し識別データＩＤを入力することを含む。ＩＤデータは、個人識別番号（ＰＩＮ）又はユーザネーム、及び、個人を識別するログインパスワードである。
【００３４】
第３の段階３０４では、装置４０は、入力されたＩＤデータと格納され認可されているＩＤデータを比較することによって、個人が装置４０へのアクセスが認可されているか否かを確認する。認可されたＩＤデータは、遠隔に格納されてもよい。ＩＤデータが一致すると、個人は、アクセスポイント４０へのアクセスが認められる。認可された個人は、例えば、航空会社の頻繁に飛行機を利用する人のためのプログラムの会員である。或いは、装置４０は、公共においてアクセス可能であり、段階３０２及び段階３０４の識別プロセスがなくてもよい。
【００３５】
第４の段階３０６では、ＵＩ４２は、ダウンロード可能である幾つかの情報コンテンツの選択を個人に提示する。この選択は、装置４０のＵＩ２上に、インタラクティブなリストとして表されても良い。情報コンテンツＣは、ニュースウェブページ、最終的な株価を伝えるファイナンシャルウェブページ、エンタテインメントウェブページ等といったウェブページであって良い。情報コンテンツＣは、後に観る又は聴くためにダウンロードされるべきオーディオデータ又は動画であってもよい。
【００３６】
或いは、個人は、ダウンロードされるべき情報コンテンツＣの選択が与えられない場合もある。実際には、装置４０は、特定の情報コンテンツＣのみをダウンロードすることを可能にする場合がある。例えば、装置４０は、ザ・タイムズ新聞社のウェブサイトにおける決められた組のウェブページの最新版のみをダウンロード可能であるようにする場合がある。この例では、装置４０は、ザ・タイムズ社の編集部によって後援され得る。更に、ザ・タイムズ社ウェブサイトといった所与のウェブサイトは、移動先のターミナルにおいてウェブサイトのページにアクセスしダウンロードするための認可のために登録することを個人に提示してもよい。個人が登録すると、個人は一時滞在ターミナルにおいて使用可能である識別コードが与えられ、それにより、装置４０にアクセスすることが可能であり、新聞紙の最新の電子版をダウンロードすることが可能となる。
【００３７】
更に、個人に提示される情報コンテンツのセットは、個人のプロファイルに基づいて決められてもよい。プロファイルは予め決められており、個人の識別ＩＤデータに関連付けられる。例えば、旅行チケットを予約する際に、個人は情報コンテンツＣの嗜好を聞かれる。従って、装置４０へのアクセスが得られると、個人には嗜好に合った情報コンテンツが示される。
【００３８】
プロファイルには更に、移動時に個人が更なる選択をせずに、ダウンロードされるべき情報コンテンツの選択を予め決めてもよい。例えば、旅行チケットを予約する際に、個人はダウンロードしてほしい情報コンテンツＣの選択を与える。交通手段に乗り込む直前に、個人は、ターミナルにおいて識別ＩＤデータを入力することによって装置４０へのアクセスを得る。個人のプロファイルが取り出しされ、そのプロファイルに適合する情報コンテンツＣがホストリポジトリ１０から要求される。
【００３９】
プロファイルの決定は、交通手段に乗り込む前に何時でもオンラインで行われても良い。上述したように、個人は、旅行の手配をオンラインで予約する際に、同時に、情報コンテンツの種類に関しての好みのセットを決定してもよい。プロファイルは更に、個人のホームページ又は個人のパーソナルポータル上の情報から推測することが可能である。このモデルに従うと、個人のプロファイルをブラウズすることは、本発明の方法に従ってオフラインでブラウズするための情報コンテンツを選択することを可能にする。
【００４０】
第５の段階３０８では、情報コンテンツＣは記憶媒体２０上にダウンロードされる。
【００４１】
第５の段階３０８において、受容ユニット４８が、選択された情報コンテンツＣを記憶媒体２０にダウンロードする。記憶媒体２０は、装置４０によって供給されてもよい。例えば、転送ユニット４６はＣＤ焼付け装置を含み、装置４０は、情報コンテンツＣを取り出しし、光学記憶媒体上に情報コンテンツＣを焼き付ける。
【００４２】
図４に、本発明の方法の別の可能なシナリオを示す。最初に、段階４０２では、個人は、例えば、航空券のような旅行チケットを予約する。予約する際に、段階４０４に示されるように、個人は、旅行時にダウンロードすることが可能となる情報コンテンツのセットの選択が与えられる。個人は選択を行う。段階４０６に示されるように、交通手段に乗り込む直前に、情報コンテンツＣはダウンロードされる。段階４０８では、運搬会社は、個人に、予約の際に選択した情報コンテンツＣを格納する記憶媒体２０を与える。例えば、旅行者がフライトの前にチェックインをすると、航空会社は、個人に、例えば、ＣＤ−ＲＯＭ又はＤＶＤ（デジタルバーサトルディスク）といった記憶媒体２０を、搭乗券と供に渡す。或いは、飛行機の乗り口において、乗務員が旅行をする個人に様々な記憶媒体２０を渡しても良い。例えば、機上する旅行者に異なる新聞紙の電子版が配られ、個人の座席にはそれぞれ、個人が記憶媒体２０から電子情報コンテンツにアクセスするための処理装置が設けられても良い。個人は、１つの記憶媒体２０が与えられてもよく、この記憶媒体には、例えば、幾つかの新聞紙の日々更新される電子版といった様々な情報コンテンツが格納される。
【００４３】
別の実施例では、装置４０は、個人から要求されることなく、交通手段の予定の出発時刻の数分前に情報コンテンツＣをダウンロードすることを可能にする場合がある。従って、個人が装置４０にアクセスすると、情報コンテンツＣが格納される記憶媒体２０は、装置４０内においてピックアップする準備が整っている。
【００４４】
本発明の実施例では、情報コンテンツＣをダウンロードすることに対し手数料が課金される。この場合、本発明の方法は、情報コンテンツＣのダウンロードを作動させるために必要な手数料を供給する追加の段階を含む。手数料は、ダウンロードされるべきコンテンツＣの実サイズ、又は、選択されるコンテンツＣの種類に基づくことが好適である。
【００４５】
本発明の別の実施例では、記憶媒体２０は、交通手段に搭載される構成要素である。移動する前に、飛行機又は列車の記憶媒体２０は、リポジトリ１０へのアクセスを可能にする装置４０に接続される。情報コンテンツＣは、リポジトリ１０から記憶媒体２０に転送される。通常、旅行者は、交通手段内における特定の場所、例えば、列車内の座席、又は、機内の座席があてがわれる。各座席には、表示モニタ及び処理ユニットが設けられてもよく、それにより、交通手段内にローカルネットワークが形成される。記憶媒体２０は、このローカルネットワークのノードに置かれ、座席の全ての処理ユニットにアクセス可能にされる。個人は、移動中に個人の座席において直接情報コンテンツＣを見、ブラウズすることが可能にされる。記憶媒体２０は、所与の座席に関連付けられる特定のメモリユニットを含んでも良い。旅行者は更に、例えば、ラップトップコンピュータといったようなパーソナル装置をつなげるための接続が座席に設けられてもよく、それにより、ローカルネットワークに接続することが可能にされる。
【００４６】
尚、上述された方法に関し、本発明の範囲から逸脱することなく変更及び改善が提示されてもよい。例えば、本発明の方法は、有線の電子回路、或いは、コンピュータによって読出し可能な媒体に格納される命令の組といった幾つかの方法で実施されてもよいことは明らかであり、この命令は電子回路の少なくとも一部に取って代わり、その取って代わられた回路において満たされる同様の機能を行うようコンピュータ又はデジタルプロセッサの制御下で実行可能である。
【図面の簡単な説明】
【図１】
本発明の方法を示すフローチャートである。
【図２】
本発明の装置を示すブロック図である。
【図３】
本発明の方法を示すフローチャートである。
【図４】
本発明の方法を示すフローチャートである。
【国際公開パンフレット】
2004501430.tif 000002
2004501430.tif 000003
2004501430.tif 000004
2004501430.tif 000005
2004501430.tif 000006
2004501430.tif 000007
2004501430.tif 000008
2004501430.tif 000009
2004501430.tif 000010
2004501430.tif 000011
2004501430.tif 000012
2004501430.tif 000013
2004501430.tif 000014